【事件の表示】
　特許第２８８８６６３号「電子写真装置の残留トナークリーナー」の請求項１及び２に係る特許に対する特許異議の申立てについて、次のとおり決定する。
【結　論】
　訂正を認める。
　特許第２８８８６６３号の請求項１に係る特許を維持する。
【理　由】
　
１．手続の経緯
　本件特許２８８８６６３号発明は、平成３年４月２２日に特許出願され、平成１１年２月１９日にその特許の設定登録がなされた後、中川才子より特許異議の申立てがなされ、取消理由通知がなされ、その指定期間内である平成１２年５月８日に訂正請求がなされたものである。その後、特許権者が提出した訂正請求書と特許異議意見書を特許異議申立人中川才子に送付し、平成１２年５月２４日付けで審尋が行われたが、指定期間内に応答がなかったものである。
　
２．訂正の適否についての判断
（１）訂正の内容
訂正事項ａ
特許請求の範囲の請求項１に記載の
「【請求項１】感光体（１）の表面から転写されたトナー像をさらに記録媒体（１００）に転写するように駆動される中間転写体（２）と、上記記録媒体（１００）へトナー像が転写された後の位置において、上記中間転写体（２）の表面に残留しているトナーを加熱して溶融するための残留トナー溶融手段（４）と、溶融された残留トナーを上記中間転写体（２）の表面から吸着する溶融トナー吸着手段（３）とを設けたことを特徴とする電子写真装置の残留トナークリーナー。」を、
「【請求項１】複数の感光体（１）のそれぞれのトナー像を順次重ね合わせて形成されたカラートナー画像を記録媒体（１００）に転写するように駆動される中間転写体（２）を備えた電子写真装置において、
　上記記録媒体（１００）へトナー像が転写された後の位置に配置され、　上記中間転写体（２）の表面に残留しているトナーを加熱して溶融するための残留トナー溶融手段（４）と、上記中間転写体（２）の表面に接触し、接触位置で上記中間転写体（２）とは、逆方向に回転する金属製のローラを有し、上記残留トナー溶融手段（４）により溶融された残留トナーを上記中間転写体（２）の表面から吸着する溶融トナー吸着手段（３）とを設け、更に、残留トナー溶融手段（４）は、上記金属ローラの表面が８０℃ないし１６０℃に加熱することを特徴とする電子写真装置の残留トナークリーナー。」と訂正する。
　なお、訂正請求書における訂正前の請求項１の記載には「【請求項１】」の記載はないが、訂正後の請求項１と整合をとるため訂正前の請求項１にも「【請求項１】」を加入した。
　
訂正事項ｂ
　特許請求の範囲の請求項２に記載の
「上記溶融トナー吸着手段（３）は、上記中間転写体（２）の表面に接触して回転する金属製のローラであり、上記残留トナー溶融手段（４）は、上記ローラを加熱するヒータである請求項１記載の電子写真装置の残留トナークリーナー。」を削除する。
　
訂正事項ｃ
　訂正前の本件特許請求の範囲の請求項３に記載の
「【請求項３】上記溶融トナー吸着手段（３）が、上記中間転写体（２）の表面に接触して移動するように設けられた吸水性を有する紙（９）又は布である請求項１記載の電子写真装置の残留トナークリーナー」を、
「【請求項２】感光体（１）の表面から転写されたトナー像をさらに記録媒体（１００）に転写するように駆動される中間転写体（２）と、上記記録媒体（１００）へトナー像が転写された後の位置において、
　上記中間転写体（２）の表面に残留しているトナーを加熱して溶融するための残留トナー溶融手段（４）と、上記中間転写体（２）の表面に接触して移動するように設けられた吸水性を有する紙（９）又は布で構成され、溶融された残留トナーを上記中間転写体（２）の表面から吸着する溶融トナー吸着手段（３）とを設けたことを特徴とする電子写真装置の残留トナークリーナー。」と訂正する。
　なお、訂正請求書における訂正前の請求項３の記載には「【請求項３】」の記載はないが、訂正後の請求項２と整合をとるため訂正前の請求項３にも「【請求項３】」を加入した。
　
訂正事項ｄ
　本件の明細書の項０００９に記載の
「【０００９】
【課題を解決するための手段】
上記の目的を達成するため、本発明の電子写真装置の残留トナークリーナーは、実施例を説明するための図１に示されるように、感光体１の表面から転写されたトナー像をさらに記録媒体１００に転写するように駆動される中間転写体２と、上記記録媒体１００へトナー像が転写された後の位置において、上記中間転写体２の表面に残留しているトナーを加熱して溶融するための残留トナー溶融手段４と、溶融された残留トナーを上記中間転写体２の表面から吸着する溶融トナー吸着手段３とを設けたことを特徴とする。」を、
「【０００９】
　【課題を解決するための手段】
　上記の目的を達成するため、本発明の電子写真装置の残留トナークリーナーは、実施例を説明するための図１に示されるように、複数の感光体１のそれぞれのトナー像を順次重ね合わせて形成されたカラートナー画像を記録媒体１００に転写するように駆動される中間転写体２を備えた電子写真装置において、上記記録媒体１００へトナー像が転写された後の位置に配置され、上記中間転写体２の表面に残留しているトナーを加熱して溶融するための残留トナー溶融手段４と、上記中間転写体２の表面に接触し、接触位置で上記中間転写体２とは、逆方向に回転する金属製のローラを有し、上記残留トナー溶融手段４により溶融された残留トナーを上記中間転写体２の表面から吸着する溶融トナー吸着手段３とを設け、更に、残留トナー溶融手段４は、上記金属ローラの表面が８０℃ないし１６０℃に加熱することを特徴とする。」と訂正する。
　
訂正事項ｅ
　本件の明細書の項００１０に記載の
「【００１０】　なお、上記溶融トナー吸着手段３は、上記中間転写体２の表面に接触して回転する金属製のローラであり、上記残留トナー溶融手段４は、上記ローラを加熱するヒータであってもよい。」を削除する。
　
訂正事項ｆ
　本件の明細書の項００１１に記載の
「【００１１】　また、上記溶融トナー吸着手段３が、上記中間転写体２の表面に接触して移動するように設けられた吸水性を有する紙９又は布であってもよい。」を、
「【００１０】
　また、感光体１の表面から転写されたトナー像をさらに記録媒体１００に転写するように駆動される中間転写体２と、上記記録媒体１００へトナー像が転写された後の位置において、上記中間転写体２の表面に残留しているトナーを加熱して溶融するための残留トナー溶融手段４と、上記中間転写体２の表面に接触して移動するように設けられた吸水性を有する紙９又は布で構成され、溶融された残留トナーを上記中間転写体２の表面から吸着する溶融トナー吸着手段３とを設けたことを特徴とする。」と訂正する。
　
訂正事項ｇ
　本件の明細書の項００１１を新たに項００１０として、訂正前の項００１０を削除したために、項００１２〜００３１の項番号を１つづ繰り上げ、新たに項００１１〜００３０と訂正する。
　
（２）訂正の目的（特許法１２０条の４第２項）の適否、新規事項（同、１２６条第２項）の有無及び拡張・変更（同、１２６条第３項）の存否
　
　上記訂正事項ａは、訂正前の請求項１における「感光体の表面から転写されたトナー像」を「複数の感光体（１）のそれぞれのトナー像を順次重ね合わせて形成されたカラートナー画像」とし、「溶融トナー吸着手段」を「中間転写体の表面に接触し、接触位置で上記中間転写体とは、逆方向に回転する金属製のローラを有」する構成とし、「残留トナー溶融手段」を「金属ローラの表面が８０℃ないし１６０℃に加熱する」構成とすることにより、それぞれの構成を具体的に限定したものであるから、特許請求の範囲の減縮に該当するものである。そして、上記訂正事項ａは、願書に添付した明細書又は図面に記載した事項の範囲内のものであって、新規事項の追加に該当するものではなく、実質上特許請求の範囲を拡張又は変更するものでもない。
　
　上記訂正事項ｂは、訂正前の請求項２を削除したものであって、特許請求の範囲の減縮に該当するものである。
　
　上記訂正事項ｃは、訂正前の請求項２の削除に伴い、請求項番号を繰り上げ、引用形式で記載されていた訂正前の請求項３を独立形式に書き替えるとともに、独立形式で記載したことに伴って不明りょうとなる部分の記載を訂正したものであるから不明りょうな記載の釈明に該当する。また、この訂正事項は、願書に添付した明細書に記載された事項の範囲内においてなされたものであるので新規事項の追加に該当せず、かつ、実質的に特許請求の範囲を拡張するものでも変更するものでもない。
　
　上記訂正事項ｄ〜ｇは、上記訂正事項ａ，ｂ，ｃに応じて、訂正後の特許請求の範囲と、発明の詳細な説明の整合を図るものであって、明りょうでない記載の釈明に該当する。また、この訂正事項は、願書に添付した明細書に記載された事項の範囲内においてなされたものであるので新規事項の追加に該当せず、かつ、実質的に特許請求の範囲を拡張するものでも変更するものでもない。
　
（３）独立特許要件（特許法第１２６条第４項）についての判断
　特許請求の範囲が減縮された請求項１について独立特許要件を検討すると以下のとおり。
　［訂正発明］
　訂正請求書に添付した訂正明細書の特許請求の範囲の請求項１に係る発明は、その訂正明細書及び図面の記載からみて、その請求項１に記載された次のとおりのものと認める。
　
　「【請求項１】複数の感光体（１）のそれぞれのトナー像を順次重ね合わせて形成されたカラートナー画像を記録媒体（１００）に転写するように駆動される中間転写体（２）を備えた電子写真装置において、
　上記記録媒体（１００）へトナー像が転写された後の位置に配置され、
　上記中間転写体（２）の表面に残留しているトナーを加熱して溶融するための残留トナー溶融手段（４）と、
上記中間転写体（２）の表面に接触し、接触位置で上記中間転写体（２）とは、逆方向に回転する金属製のローラを有し、上記残留トナー溶融手段（４）により溶融された残留トナーを上記中間転写体（２）の表面から吸着する溶融トナー吸着手段（３）とを設け、
　更に、残留トナー溶融手段（４）は、上記金属ローラの表面が８０℃ないし１６０℃に加熱する
ことを特徴とする電子写真装置の残留トナークリーナー。」
　以下、上記請求項１に係る発明を「本件訂正発明」という。
　
［引用刊行物］
　刊行物１：特開昭６３−１８９８７８号公報
　刊行物２：特開平２−３０９３７８号公報
　
　これに対して、当審が通知した取消理由で引用した上記刊行物１、２には、それぞれ、以下の事項が記載されている。
　
（刊行物１）
　「像保持体（１）上に形成したトナー像（１３ａ）を一次転写部（１４）において中間転写体（６）に粘着転写した後、該中間転写体上のトナー像（１３ｂ）を二次転写部（１５）において記録体（１２）に溶融転写する転写定着装置において、二次転写部から一次転写部への経路に、二次転写後に前記中間転写体に残留したトナーを除去する熱源（２２）内蔵金属製クリーニングローラ（２１）を、前記中間転写体のトナー像形成面に接触させて配設するとともに、前記クリーニングローラの表面に接触して該表面をクリーニングするクリーニング部材（２３）を設けたことを特徴とする転写定着装置。」（特許請求の範囲）、
　
　「本発明は電子写真方式、静電記録方式等の記録装置、特にその転写定着装置に関する。」（第１頁右下欄第１０、１１行）、
　
　「このような中間転写体を使用した記録方式では、二次転写が100％行われなかった場合や、紙ジャム等により二次転写が行われなかった場合を考慮して、中間転写体クリーニング手段が必要になる。
　ところで、中間転写体の表面は、通常、シリコンゴム等のゴム材であり、二次転写部で記録体に転写されずにヒートローラの熱により溶融して該中間転写体に付着したトナーはブレードやフェルトではほとんどクリーニングされない。
　このため、クリーニング手段としては、熱源を内蔵した金属製クリーニングローラを中間転写体に接触回転させてクリーニングする方式が考えられる。これは、中間転写体の表面とローラの金属表面の表面エネルギの差を利用するものであり、優れたクリーニング効果が得られる。
　しかし、この方式の場合、クリーニングローラに付着したトナー量が多くなるとローラ径が不均一になるため、…（中略）…付着したりしてしまう。
　［問題点を解決するための手段］
　本発明は上述の問題点を解決することのできる転写定着装置を提供するもので、」（第２頁左下欄第４行〜同頁右下欄第９行）、
　
　「第１図は本発明に係る転写定着装置を示す正面図で、図中、２１はヒータ（熱源）２２を内蔵する金属製クリーニングローラ、２３はクリーニング部材である。…（中略）…。
　クリーニングローラ２１はアルミニウム等の金属からなる円筒ローラで、ヒータ２２にはハロゲンランプ等が使用される。クリーニングローラ２１の表面温度は、中間転写体６にオフセット（コールドオフセット、ホットオフセット）しないように、トナーの材質を考慮して設定されている。…（中略）…。
　二次転写後に中間転写体６に残留したトナーは、中間転写体６に接触して従動回転するクリーニングローラ２１に付着し、クリーニングローラ２１に付着したトナーは、クリーニングローラ２１に従動回転するクリーニング部材２３により除去される。」（第３頁左上欄第８行〜同頁右上欄第１８行）、及び第１図の記載がある。
　
　以上の記載を総合すると、上記刊行物１には、
「像保持体（１）のトナー像を記録体（１２）に転写するように駆動される中間転写体（６）を備えた転写定着装置において、
　上記記録体（１２）へトナー像が転写された後の位置に配置され、
　上記中間転写体（６）の表面に残留しているトナーを加熱して溶融するためのヒータ（２２）と、
上記中間転写体（６）の表面に接触し、接触位置で上記中間転写体（６）に従動して回転する金属製クリーニングローラ（２１）を有し、上記ヒータ（２２）により溶融された残留トナーを上記中間転写体（６）の表面から吸着する金属製クリーニングローラ（２１）とを設け、
　更に、上記金属製クリーニングローラの表面温度が、中間転写体（６）にオフセットしないようにトナーの材質を考慮して設定されている転写定着装置のクリーニング手段。」
が、記載されているものと認められる。
　
（刊行物２）
　「第１図は本発明の特徴を最もよく表す図面であり、１はフィルムを動かす駆動ローラ、２はその従動ローラ、３はヒータ及びフィルムに圧をかける加圧ローラ、４は定着ヒータ、５は定着フィルムである。」（第２頁右上欄第１行〜第５行）
　
　「定着フィルム上に固着したトナーを６の従動ローラ内にいれたヒータ、あるいはハロゲンランプのような発熱体で溶かして従動ローラとフィルムに接して対向にまわるクリーニングローラ７にて拭い去る。」（第２頁右上欄第２０行〜同頁左下欄第４行）、
　
　「１度フィルム上に固着したトナーを溶融するヒータと溶融したトナーを拭い去るローラ、あるいはウェブを用いることによりフィルム上に固着したトナーを清掃することができる。」（第２頁左下欄第１７行〜同頁右下欄第１行）、及び第１図、第３図の記載がある。
　
（当審における対比・判断）
　本件訂正発明と上記刊行物１に記載された発明を比較すると、上記刊行物１における「像担持体」、「トナー像」、「記録体」、「記録体に転写するように駆動される中間転写体」、「転写定着装置」、「記録体へトナー像が転写された後の位置に配置され、上記中間転写体の表面に残留しているトナーを加熱して溶融するためのヒータ」、「金属製クリーニングローラ」、「ヒータにより溶融された残留トナーを上記中間転写体の表面から吸着する金属製クリーニングローラ」、「転写定着装置のクリーニング手段」は、
それぞれ、本件請求項１に係る発明の
「感光体」、「トナー像」、「記録媒体」、「記録媒体に転写するように駆動される中間転写体」、「電子写真装置」、「記録媒体へトナー像が転写された後の位置に配置され、上記中間転写体の表面に残留しているトナーを加熱して溶融するための残留トナー溶融手段」、「金属製のローラ」、「残留トナー溶融手段により溶融された残留トナーを上記中間転写体の表面から吸着する溶融トナー吸着手段」、「電子写真装置の残留トナークリーナー」、
に相当していることは明らかであるから、両者は、
「感光体のトナー像を記録媒体に転写するように駆動される中間転写体を備えた電子写真装置において、
　上記記録媒体へトナー像が転写された後の位置に配置され、上記中間転写体の表面に残留しているトナーを加熱して溶融するための残留トナー溶融手段と、上記中間転写体の表面に接触し、上記残留トナー溶融手段により溶融された残留トナーを上記中間転写体の表面から吸着する溶融トナー吸着手段とを設けた電子写真装置の残留トナークリーナー」である点で一致し、以下の点で相違している。
　
（相違点１）
　本件訂正発明が、「複数の感光体のそれぞれのトナー像を順次重ね合わせて形成されたカラートナー画像」を対象としているのに対し、上記刊行物１の発明は、カラートナー像については記載されていない点。
（相違点２）
　上記金属ローラが、本件訂正発明では、上記接触位置で中間転写体とは逆方向に回転するのに対し、上記刊行物１の発明では、上記接触位置で上記中間転写体に従動して回転する点。
（相違点３）
　本件訂正発明の残留トナー溶融手段は、上記金属ローラの表面が８０℃ないし１６０℃に加熱するのに対し、上記刊行物１の発明では、金属ローラの表面温度が中間転写体にオフセットしないようにトナーの材質を考慮して設定されている点。
　
　上記相違点について検討するに、残留トナーを溶融して除去するようにした電子写真装置の残留トナークリーナーにおいて、上記相違点１にあげた対象となるトナー像がカラーか否か、という点、及び、上記相違点３にあげた残留トナーを溶融させる金属ローラの表面温度をどのように設定するかという点は、個別の技術事項として検討すると設計的事項の範ちゅうに属する場合があることも考えられる。
　ところが、上記相違点２における上記金属ローラが接触位置で回転する方向は、上記刊行物１及び２の発明では何れも中間転写体又は定着フィルムに従動して回転しているので接触面では同方向であり、本件訂正発明のように、中間転写体とは逆方向に回転する点については、記載も示唆もなく、この点が周知の事項であるとの証拠もない。そして、本件訂正発明は、この構成と相違点１及び相違点２にあげた構成が相互に関連して「中間転写体に付着していた残留トナーを、確実かつ容易に吸着して、中間転写体表面から除去することができる」効果を奏するものと認めることができる。
　してみると、本件訂正発明は、上記刊行物１，２の記載から当業者が容易に発明をすることができたということはできない。
　
　よって、訂正明細書の請求項１に係る発明は、上記刊行物１，２の存在にかかわらず、特許出願の際に独立して特許を受けることができるものである。
　
（４）むすび
　以上のとおりであるから、上記訂正は「平成６年改正法」附則第６条第１項の規定によりなお従前の例とされる特許法第１２０条の４第３項において準用する「平成６年改正法」による改正前の特許法第１２６条第１項ただし書、第２項及び第３項の規定に適合するので、当該訂正を認める。
　
３．特許異議の申立てについての判断
（１）申立の理由の概要
　特許異議申立人中川才子は、
　　甲第１号証：特開昭６３−１８９８７８号公報
　　甲第２号証：特開平２−３０９３７８号公報
　　甲第３号証：特開昭５５−５５３７４号公報
を提出して、
訂正前の本件請求項１及び請求項２に係る発明は、本願出願前公知の甲第１〜３号証から当業者が容易に発明をすることができたものであるから、特許法第２９条第２項の規定により特許を受けることができず、同法第１１３条第１項第２号の規定により取り消されるべき旨主張している。
　
（２）甲号各証
甲第１号証；
　上記２．（３）［引用刊行物］の（刊行物１）を参照。
　
甲第２号証；
　上記２．（３）［引用刊行物］の（刊行物２）を参照。
　
甲第３号証；
　上記甲第３号証には、
「従来よりオフセット量は第１ロールの表面温度によって大きく変化するという事が知られている。つまりロール表面の加熱が不十分であると、トナー粒子同士が溶融合体せず粒子状のままであり、ロール表面近傍のみのトナーが溶融して粘着性となる為多量のオフセットが発生すると言われている。またロール表面の加熱が十分過ぎると溶融合体した粘性トナーの集団を保持する凝集力がロール表面にトナーをオフセットする付着力よりも小さくなってトナーに分裂が起こり、多量のオフセットが発生すると言われている。」（第２頁右下欄第１２行〜第３頁左上欄第３行）が記載されている。
　
（３）当審の判断
　特許異議が申し立てられた請求項２は訂正により削除され、前示のように、適法に訂正された本件請求項１に係る発明は、上記２．（３）の（当審における対比・判断）で示したように、上記甲第１号証及び甲第２号証に記載のものから当業者が容易に発明をすることができたものであるとはいえない（上記２．（３）の（当審における対比・判断）における「刊行物１」、「刊行物２」を「甲第１号証」、「甲第２号証」と読み替える。）。
　
　また、上記甲第３号証には、ロールの表面温度に起因するロール表面のオフセットについての記載があるものの、電子写真装置の残留トナークリーナーにおいて溶融トナー吸着手段を構成する金属ローラが、接触位置で中間転写体とは逆方向に回転する構成を有していない以上、この構成を上記甲第１号証及び甲第２号証と組み合わせたとしても、本件訂正発明を想起することはできるとは認められない。
　
　よって、本件発明は、特許異議申立の理由及び証拠によっては、特許法第２９条第２項の規定により特許を受けることができないものとすることはできない。
　
　なお、特許異議申立人は、「甲第２号証に記載のクリーニングローラは、清掃の対象であるフィルムに接して対向に回る旨記載されている（甲第２号証第２ページ左下欄第１行〜第４行）」と主張しているが、甲第２号証に記載された発明は、駆動ローラ１によって従動ローラ２が駆動されており、さらに、「６の従動ローラ内にいれたヒータ、あるいは・・・従動ローラとフィルムに接して対向にまわるクリーニングローラ７にて拭い去る。」の記載、及び、定着フィルム５に対して従動する方向に示されている第１図のクリーニングローラ近傍の矢印の記載があり、加えて、クリーニングローラ７を特許異議申立人が主張するように上記フィルムと接触する面で逆方向に回転させるためには、別途駆動手段が必要であるところ、甲第２号証にはそのような駆動手段は何ら記載されていないことを参酌すると、上記クリーニングローラは定着フィルムに従動して、接触する面では同方向に回転しているものと解される。
　したがって、特許異議申立人の上記主張は採用できない。
　
４．むすび
　以上のとおりであるから、特許異議申立の理由及び証拠によっては本件請求項１に係る発明についての特許を取り消すことはできない。
　また、他に本件請求項１に係る発明についての特許を取り消すべき理由を発見しない。
　よって、「平成６年改正法」附則第１４条の規定に基づく、特許法等の一部を改正する法律の施行に伴う経過措置を定める政令（平成７年政令第２０５号）第４条第２項の規定により、上記のとおり決定する。
　
【異議決定日】
平成１２年９月２６日（２０００．９．２６）
【訂正の要旨】
［訂正の要旨］
訂正事項ａ
特許請求の範囲の請求項１に記載の
「【請求項１】感光体（１）の表面から転写されたトナー像をさらに記録媒体（１００）に転写するように駆動される中間転写体（２）と、上記記録媒体（１００）ヘトナー像が転写された後の位置において、上記中間転写体（２）の表面に残留しているトナーを加熱して溶融するための残留トナー溶融手段（４）と、溶融された残留トナーを上記中間転写体（２）の表面から吸着する溶融トナー吸着手段（３）とを設けたことを特徴とする電子写真装置の残留トナークリーナー。」を特許請求の範囲の減縮を目的として、
「【請求項１】複数の感光体（１）のそれぞれのトナー像を順次重ね合わせて形成されたカラートナー画像を記録媒体（１００）に転写するように駆動される中間転写体（２）を備えた電子写真装置において、
　上記記録媒体（１００）ヘトナー像が転写された後の位置に配置され、　上記中間転写体（２）の表面に残留しているトナーを加熱して溶融するための残留トナー溶融手段（４）と、上記中間転写体（２）の表面に接触し、接触位置で上記中間転写体（２）とは、逆方向に回転する金属製のローラを有し、上記残留トナー溶融手段（４）により溶融された残留トナーを上記中間転写体（２）の表面から吸着する溶融トナー吸着手段（３）とを設け、更に、残留トナー溶融手段（４）は、上記金属ローラの表面が８０℃ないし１６０℃に加熱することを特徴とする電子写真装置の残留トナークリーナー。」と訂正する。
訂正事項ｂ
　特許請求の範囲の請求項２に記載の
「上記溶融トナー吸着手段（３）は、上記中間転写体（２）の表面に接触して回転する金属製のローラであり、上記残留トナー溶融手段（４）は、上記ローラを加熱するヒータである請求項１記載の電子写真装置の残留トナークリーナー。」を特許請求の範囲の減縮を目的として削除する。
訂正事項ｃ
　訂正前の本件特許請求の範囲の請求項３に記載の
「【請求項３】上記溶融トナー吸着手段（３）が、上記中間転写体（２）の表面に接触して移動するように設けられた吸水性を有する紙（９）又は布である請求項１記載の電子写真装置の残留トナークリーナー」を不明りょうな記載の釈明を目的として、
「【請求項２】感光体（１）の表面から転写されたトナー像をさらに記録媒体（１００）に転写するように駆動される中間転写体（２）と、上記記録媒体（１００）へトナー像が転写された後の位置において、
　上記中間転写体（２）の表面に残留しているトナーを加熱して溶融するための残留トナー溶融手段（４）と、上記中間転写体（２）の表面に接触して移動するように設けられた吸水性を有する紙（９）又は布で構成され、溶融された残留トナーを上記中間転写体（２）の表面から吸着する溶融トナー吸着手段（３）とを設けたことを特徴とする電子写真装置の残留トナークリーナー。」と訂正する。
訂正事項ｄ
　本件の明細書の項０００９に記載の「【０００９】
【課題を解決するための手段】
上記の目的を達成するため、本発明の電子写真装置の残留トナークリーナーは、実施例を説明するための図１に示されるように、感光体１の表面から転写されたトナー像をさらに記録媒体１００に転写するように駆動される中間転写体２と、上記記録媒体１００ヘトナー像が転写された後の位置において、上記中間転写体２の表面に残留しているトナーを加熱して溶融するための残留トナー溶融手段４と、溶融された残留トナーを上記中間転写体２の表面から吸着する溶融トナー吸着手段３とを設けたことを特徴とする。」を不明りょうな記載の釈明を目的として、
「【０００９】
　【課題を解決するための手段】
　上記の目的を達成するため、本発明の電子写真装置の残留トナークリーナーは、実施例を説明するための図１に示されるように、複数の感光体１のそれぞれのトナー像を順次重ね合わせて形成されたカラートナー画像を記録媒体１００に転写するように駆動される中間転写体２を備えた電子写真装置において、上記記録媒体１００ヘトナー像が転写された後の位置に配置され、上記中間転写体２の表面に残留しているトナーを加熱して溶融するための残留トナー溶融手段４と、上記中間転写体２の表面に接触し、接触位置で上記中間転写体２とは、逆方向に回転する金属製のローラを有し、上記残留トナー溶融手段４により溶融された残留トナーを上記中間転写体２の表面から吸着する溶融トナー吸着手段３とを設け、更に、残留トナー溶融手段４は、上記金属ローラの表面が８０℃ないし１６０℃に加熱することを特徴とする。」と訂正する。
訂正事項ｅ
　本件の明細書の項００１０に記載の
「【００１０】　なお、上記溶融トナー吸着手段３は、上記中間転写体２の表面に接触して回転する金属製のローラであり、上記残留トナー溶融手段４は、上記ローラを加熱するヒータであってもよい。」を不明りょうな記載の釈明を目的として削除し、訂正する。
訂正事項ｆ
　本件の明細書の項００１１に記載の
「【００１１】　また、上記溶融トナー吸着手段３が、上記中間転写体２の表面に接触して移動するように設けられた吸水性を有する紙９又は布であってもよい。」を不明りような記載の釈明を目的として、
「【００１０】
　また、感光体１の表面から転写されたトナー像をさらに記録媒体１００に転写するように駆動される中間転写体２と、上記記録媒体１００ヘトナー像が転写された後の位置において、上記中間転写体２の表面に残留しているトナーを加熱して溶融するための残留トナー溶融手段４と、上記中間転写体２の表面に接触して移動するように設けられた吸水性を有する紙９又は布で構成され、溶融された残留トナーを上記中間転写体２の表面から吸着する溶融トナー吸着手段３とを設けたことを特徴とする。」と訂正する。
訂正事項ｇ
　本件の明細書の項００１１を新たに項００１０として、訂正前の項００１０を削除したために、項００１２〜００３１の項番号を１つづ繰り上げ、新たに項００１１〜００３０と、不明りような記載の釈明を目的として訂正する。
（５４）【発明の名称】
電子写真装置の残留トナークリーナー
（５７）【特許請求の範囲】
　【請求項１】
複数の感光体（１）のそれぞれのトナー像を順次重ね合わせて形成されたカラートナー画像を記録媒体（１００）に転写するように駆動される中間転写体（２）を備えた電子写真装置において、
　
上記記録媒体（１００）ヘトナー像が転写された後の位置に配置され、
　上記中間転写体（２）の表面に残留しているトナーを加熱して溶融するための残留トナー溶融手段（４）と、
　
上記中間転写体（２）の表面に接触し、接触位置で上記中間転写体（２）とは、逆方向に回転する金属製のローラを有し、
　
更に、残留トナー溶融手段（４）は、上記金属ローラの表面が８０℃ないし１６０℃に加熱する
　ことを特徴とする電子写真装置の残留トナークリーナー。
　【請求項２】
感光体（１）の表面から転写されたトナー像をさらに記録媒体（１００）に転写するように駆動される中間転写体（２）と、上記記録媒体（１００）ヘトナー像が転写された後の位置において、
　
上記中間転写体（２）の表面に残留しているトナーを加熱して溶融するための残留トナー溶融手段（４）と、上記中間転写体（２）の表面に接触して移動するように設けられた吸水性を有する紙（９）又は布で構成され、溶融された残留トナーを上記中間転写体（２）の表面から吸着する溶融トナー吸着手段（３）とを設けたことを特徴とする
【発明の詳細な説明】
　【０００１】
　【産業上の利用分野】
　この発明は、カラー電子写真装置などにおいて、トナー像を感光体からいったん中間転写体に転写した後、さらに記録用紙などに転写するようにした電子写真装置の残留トナークリーナーに関する。
　【０００２】
　中間転写体を用いた電子写真装置においては、中間転写体から記録用紙にトナー像を転写した後、中間転写体の表面に残留している残留トナーを、中間転写体に次の新しいトナー像が転写されるより前の位置で除去する必要がある。
　【０００３】
　【従来の技術】
　従来の電子写真装置の残留トナークリーナーにおいては、例えばクリーニングブレードやクリーニングブラシなどを、中間転写体の表面に押し付けて残留トナーの除去を行っていた。
　【０００４】
　【発明が解決しようとする課題】　しかし、中間転写体は一般に、感光体に接触させて安定して駆動することができるように、表面が弾性体で形成されている。
　したがって、中間転写体の表面には、微粒子状のトナーが比較的強い力で吸着される。
　【０００５】
　そのため、クリーニングブレードを中間転写体に押し付ける従来のものでは、中間転写体表面へのトナーの固着やブレード自体の振動が起きやすくなって、クリーニング漏れが発生しがちである。
　【０００６】
　また、クリーニングブラシを用いたものは、中間転写体表面に吸着されたトナーを掻きとる力が弱いため、はけムラ状のクリーニング不良などが発生しがちである。
　【０００７】
　そしてトナーが中間転写体上に残ると、カラー電子写真では混色が発生し、また、トナーが中間転写体表面に積層することによって記録用紙へ転写する際の転写電圧が不安定になり、転写効率が悪くなってしまう。
　【０００８】
　そこで本発明は、記録媒体へ転写した後の中間転写体の表面に残留するトナーを、確実かつ容易に除去することのできる電子写真装置の残留トナークリーナーを提供することを目的とする。
　【０００９】
　【課題を解決するための手段】
　上記の目的を達成するため、本発明の電子写真装置の残留トナークリーナーは、実施例を説明するための図１に示されるように、複数の感光体１のそれぞれのトナー像を順次重ね合わせて形成されたカラートナー画像を記録媒体１００に転写するように駆動される中間転写体２を備えた電子写真装置において、上記記録媒体１００ヘトナー像が転写された後の位置に配置され、上記中間転写体２の表面に残留しているトナーを加熱して溶融するための残留トナー溶融手段４と、上記中間転写体２の表面に接触し、接触位置で上記中間転写体２とは、逆方向に回転する金属製のローラを有し、上記残留トナー溶融手段４により溶融された残留トナーを上記中間転写体２の表面から吸着する溶融トナー吸着手段３とを設け、更に、残留トナー溶融手段４は、上記金属ローラの表面が８０℃ないし１６０℃に加熱することを特徴とする。
　【００１０】
　また、感光体１の表面から転写されたトナー像をさらに記録媒体１００に転写するように駆動される中間転写体２と、上記記録媒体１００ヘトナー像が転写された後の位置において、上記中間転写体２の表面に残留しているトナーを加熱して溶融するための残留トナー溶融手段４と、上記中間転写体２の表面に接触して移動するように設けられた吸水性を有する紙９又は布で構成され、溶融された残留トナーを上記中間転写体２の表面から吸着する溶融トナー吸着手段３とを設けたことを特徴とする。
　【００１１】
　【作用】
　中間転写体２から記録媒体１００にトナー像を転写した後、中間転写体２の表面に残留している残留トナーは、残留トナー溶融手段４によって加熱溶融され、溶融されて液状になったトナーが、溶融トナー吸着手段３によって中間転写体２の表面から容易に吸着されて、除去される。
　【００１２】
　【実施例】
　図面を参照して実施例を説明する。
　【００１３】
　図２は、黄（Ｙ）、マゼンタ（Ｍ）、シアン（Ｃ）及び黒（Ｂ）の４色のトナーを用いたカラー電子写真装置を示している。
　【００１４】
　この装置は、４色のトナーによるトナー像を形成するための４つの感光ドラム１（１Ｙ，１Ｍ，１Ｃ，１Ｂ）と、それら４つの感光ドラム１と同時に接触して回転駆動される中間転写ドラム２とを有しており、各感光ドラム１から各色のトナー像を順次中間転写ドラム２に重ね合わせて転写した後、そのカラートナー像を中間転写ドラム２から記録用紙１００に転写するようになっている。
　【００１５】
　各感光ドラム１の周囲には、感光ドラム１に帯電をさせる前帯電器１１、感光ドラム１に画像光を照射して静電潜像を形成する露光部１２、静電潜像をトナーによって現像する現像器１３が順次配列されていて、中間転写ドラム２が感光ドラム１に接触することによって、感光ドラム１表面のトナー像が中間転写ドラム２に転写される。１４は、感光ドラム１表面に残ったトナーを除去するためのクリーナーである。
　【００１６】
　中間転写ドラム２は、導電性シリコンゴム等、熱に強くて表面エネルギーが低い弾性体である導電性のゴムによって形成されている。
　【００１７】
　そして、中間転写ドラム２は、図示されていない駆動モータによって感光ドラム１と逆方向に回転駆動される。したがって、中間転写ドラム２の外周面と感光ドラム１の外周面とは、接触部においては同方向に移動して、そこで感光ドラム１から中間転写ドラム２にトナー像が転写される。
　【００１８】
　用紙搬送ローラ１６によって搬送される記録用紙１００は、中間転写ドラム２と転写ローラ１７との間に挟まれて走行し、そこで、中間転写ドラム２から記録用紙１００にカラートナー像が転写される。
　【００１９】
　図１に拡大して示されるように、記録用紙１００への転写部Ａと、次に中間転写ドラム２に新しいトナー像を転写する感光ドラム１との間には、記録用紙１００へ転写した後に中間転写ドラム２の表面に残った残留トナー２００を除去するための残留トナークリーナーが設けられている。以下、その残留トナークリーナーについて説明をする。
　【００２０】
　３は、記録用紙１００にトナー像が転写された後の位置において中間転写ドラム２に接触して回転する金属ローラ（溶融トナー吸着手段）であり、モータ１８によって中間転写ドラム２と同方向に回転駆動される（したがって接触面は互いに逆方向に移動する）。
　【００２１】
　金属ローラ３の内側にはヒータ４（残留トナー溶融手段）が内蔵されていて、このヒータ４によって金属ローラ３は摂氏１００ないし１４０度程度に加熱される。
　【００２２】
　したがって、中間転写ドラム２の表面に付着して運ばれてきた残留トナー２００は、金属ローラ３に触れることによって加熱されてガラス転移点以上にまで熱せられて溶融される。すると、弾性体である中間転写ドラム２表面よりも金属ローラ３の表面の方が液体の接触角が小さくてぬれ性が高いので、図１に示されるように、中間転写ドラム２と金属ローラ３との間に存在する液状の溶融トナー２０１は、中間転写ドラム２に比べて金属ローラ３と広い面積で接触し、金属ローラ３側に吸着される。
　【００２３】
　金属ローラ３表面に吸着された溶融トナー２０１は、金属ローラ３に接触して配置された金属ブレード５によって掻き落とされ、掻き落とされた溶融トナー２０１は、廃トナー収容器６に貯留される。７は、金属ローラ３に接触して上昇した中間転写ドラム２の表面温度を適温まで下げるための冷却用ファンである。
　【００２４】
　図３は、金属ローラ３の表面温度を変化させてクリーニング効率（中間転写ドラム２の表面からどの程度残留トナーを除去できたか）を測定した実験結果を示しており、金属ローラ３の表面温度が摂氏８０ないし１６０度の範囲では充分に実用範囲にあることがわかる。
　【００２５】
　図４は、中間転写ドラム２の表面を近赤外線ランプ８によって加熱して、それによって溶融された残留トナー２００を吸水性のよい紙９などに吸着するようにした実施例を示している。
　【００２６】
　近赤外線ランプ８は中間転写ドラム２と同程度の幅を有していて、中間転写ドラム２と平行に配置されており、中間転写ドラム２の表面温度が摂氏１５０度以上になるように加熱をする。これによって残留トナー２００が溶融されて液状になる。
　【００２７】　　　　　　　　　　
　吸水性の良い紙９は、送り出しローラ２１に巻き付けられていて、そこから引き出された部分が押しあてローラ２２によって中間転写ドラム２に押し付けられる。その付近は近赤外線ランプ８によって照射されているので、溶融した残留トナー２００が紙９に吸い取られる。
　【００２８】
　残留トナーを吸い取った紙９は、図示されていない駆動機構によって回転駆動される巻き取りローラ２３に巻き取られていき、巻き取りローラ２３に紙９がすべて巻き取られたら、紙９及びローラ類２１ー２３をユニットとしてまとめて交換する。７は冷却用ファンである。
　【００２９】
　なお、紙９に代えて吸水性の良い布などを用いてもよい。また、前述の各実施例において用いられた感光ドラム１及び中間転写ドラム２に代えて、ベルト状のものなどを用いてもよい。
　【００３０】
　【発明の効果】
　本発明の電子写真装置の残留トナークリーナーによれば、中間転写体の表面に残留するトナーを加熱、溶融して、液体化してから吸着手段に吸着するようにしたので、中間転写体に付着していた残留トナーを、確実かつ容易に吸着して、中間転写体表面から除去することができる優れた効果を有する。
【図面の簡単な説明】
　【図１】　第１の実施例の部分構成図である。
　【図２】　第１の実施例の全体構成図である。
　【図３】　第１の実施例によるクリーニング効率を示す線図である。
　【図４】　第２の実施例の部分構成図である。
　【符号の説明】
　１　感光ドラム（感光体）
　２　中間転写ドラム（中間転写体）
　３　金属ローラ（溶融トナー吸着手段）
　４　ヒータ（残留トナー溶融手段）
　１００　記録用紙（記録媒体）